(57)【要約】【課題】電子機器のボタンのスライド構造において、他の部品を追加することなく簡単な構造で、取り付け作業を容易にすると共に、良好なクリック感を与えるようにする。【解決手段】カメラ切換ボタン（スライドボタン）１３にスライド操作するためのツマミ部２７が表面から突出したボタン本体２８と、該ボタン本体２８の裏面側に携帯電話機１（電子機器、携帯通信機器）の切換用スイッチレバーを挟む脚部３０とを設ける。携帯電話機を覆う裏側キャビネット（電子機器本体）２０に、このカメラ切換ボタン１３がスライドするスライド用貫通孔２１を設ける。スライド用貫通孔２１にカメラ切換ボタン１３がスライドされたときに弾性変形して該カメラ切換ボタン１３にクリック感を与える可撓部２３（弾性手段）を設ける。【選択図】図５
2008117687.tif 000002
【特許請求の範囲】
【請求項１】
電子機器のボタンのスライド構造であって、
スライド操作するためのツマミ部が表面から突出したボタン本体及び該ボタン本体の裏面側に上記電子機器の切換用スイッチレバーを挟む脚部を有するスライドボタンと、
上記スライドボタンがスライドするスライド用貫通孔を有し、上記電子機器を覆う電子機器本体と、
上記スライド用貫通孔に設けられ、上記スライドボタンがスライドされたときに弾性変形して該スライドボタンにクリック感を与える弾性手段とを備えている
ことを特徴とするボタンのスライド構造。
【請求項２】
請求項１に記載のボタンのスライド構造において、
上記弾性手段は、上記スライド用貫通孔の近傍に貫通孔を設けることにより、弾性変形可能となった上記スライド用貫通孔の周縁部よりなる
ことを特徴とするボタンのスライド構造。
【請求項３】
請求項２に記載のボタンのスライド構造において、
上記スライド用貫通孔の周縁部には、上記スライドボタンを押圧するためのボタン押圧用突起が形成されている
ことを特徴とするボタンのスライド構造。
【請求項４】
請求項３に記載のボタンのスライド構造において、
上記ボタン押圧用突起は、上記スライドボタンがスライド移動する中間位置に設けられている
ことを特徴とするボタンのスライド構造。
【請求項５】
請求項３又は４に記載のボタンのスライド構造において、
上記ボタン本体と、上記脚部との間には、該脚部よりも細くなった首部が形成され、
上記首部が、上記スライド用貫通孔内をスライド移動するように構成されている
ことを特徴とするボタンのスライド構造。
【請求項６】
請求項５に記載のボタンのスライド構造において、
上記ボタン押圧用突起は、上記首部に当接するように構成されている
ことを特徴とするボタンのスライド構造。
【請求項７】
請求項２乃至６のいずれか１つに記載のボタンのスライド構造において、
上記弾性変形可能な周縁部は、他の周縁部よりも厚く形成されている
ことを特徴とするボタンのスライド構造。
【請求項８】
請求項２乃至７のいずれか１つに記載のボタンのスライド構造において、
上記電子機器本体のスライド用貫通孔の周縁には、周囲よりも低い凹部が形成され、該凹部内を上記ボタン本体がスライド移動するように構成されている
ことを特徴とするボタンのスライド構造。
【請求項９】
請求項２乃至８のいずれか１つに記載のボタンのスライド構造において、
上記弾性手段は、上記スライド用貫通孔の対向する周縁部にも設けられている
ことを特徴とするボタンのスライド構造。
【請求項１０】
請求項１乃至９のいずれか１つに記載のボタンのスライド構造において、
上記電子機器は、カメラを備え、
上記スライドボタンは、上記カメラのレンズの遠近切換を行う切換ボタンである
ことを特徴とするボタンのスライド構造。
【請求項１１】
請求項１乃至１０のいずれか１つに記載のボタンのスライド構造において、
上記電子機器本体は、樹脂成型品である
ことを特徴とするボタンのスライド構造。
【請求項１２】
請求項１乃至１１のいずれか１つに記載のボタンのスライド構造において、
電子機器は、携帯通信機器である
ことを特徴とするボタンのスライド構造。
【請求項１３】
請求項１２に記載のボタンのスライド構造において、
携帯通信機器は、携帯電話機である
ことを特徴とするボタンのスライド構造。
【発明の詳細な説明】
【技術分野】
【０００１】
本発明は、携帯電話機などの電子機器のボタンのスライド構造に関するものである。
【背景技術】
【０００２】
従来より、携帯電話機などの電子機器は、様々な機能を有し、各種のボタンを備えている。そのようなボタンのうち、スライドさせて電子機器の機能を切り換えるものがある。
【０００３】
例えば、特許文献１では、ノブによって一方向にスライド操作される機能部品と、この機能部品が設置されるキャビネットと、このキャビネットの外側に設置されるとともに、前記キャビネットの窓部から挿入された一対の操作アームで前記ノブを挟んで前記電子部品を操作するスライドボタンと、このスライドボタンの前記操作アームの中途部に形成された係止爪と前記キャビネットとの間の前記操作アームに挿入されて前記スライドボタンを前記キャビネット上に摺動可能に保持させるストッパとを備え、スライドボタンのキャビネット壁面への取り付けを確実にし、脱落等の不都合を防止したスライドボタンの取付構造について提案されている。
【０００４】
特許文献２では、プリント配線板上に実装されたスイッチを、該プリント配線板を収容する上下に分割されたケースの外部からスライド切り換えする操作ボタンの取付構造であって、操作ボタンと、下端部に少なくとも１個の係止突起を有し該操作ボタンから所定距離離間して操作ボタンと一体的に連結された案内板と、該案内板に突設された係合爪とからなる操作ボタンアセンブリを、該係合爪を前記スイッチの切換ツマミに係合させるとともに該係止突起が前記プリント配線板の下面よりもわずかばかり下側にくるように、前記案内板と操作ボタンとでケースを挟んで下ケースの操作ボタン取付部にスライド可能に取り付け、上ケースを下ケースに固定して構成し、組立工程中に操作ボタンの脱落を防止するようにしている。
【０００５】
特許文献３では、下ケースの外からスイッチを操作するスイッチボタンに、スイッチの操作部に連結する位置まで延びる腕部を一体に形成する。その腕部の先端部にはコの字状の溝を形成し、そこに操作部を嵌入させる。その状態で、下ケースに上ケースを被せて固定すれば、腕部をプリント回路基板の上面と上ケースに形成したリブガイドの下面との間に挟んで、スイッチの操作部のスライド操作方向にのみ移動可能に保持することができる。それにより、バネ性を持たせた爪等を使用することなしにスイッチボタンをスライド可能に保持することができることが提案されている。
【０００６】
このように、従来の電気機器のボタンのスライド構造では、スライドボタン自身を弾性変形可能にしたり、他の部品を追加して脱落防止したりすることにより、スライドボタンを組み立てる際に作業性をよくしている。
【特許文献１】実開平５−１８０７４号公報
【特許文献２】特開平５−２６６７５３号公報
【特許文献３】特開平１０−１５４４２８号公報
【発明の開示】
【発明が解決しようとする課題】
【０００７】
しかしながら、上記従来のボタンのスライド構造では、部品点数が増え、また、ボタンのスライドの移動量が少ないと、指でスライドしただけではスイッチが切り換わったのか分かりにくく、また、衝撃等によりスライドボタンが意図せず切り換わって誤動作を生じることがある、という問題がある。
【０００８】
本発明は、かかる点に鑑みてなされたものであり、その目的とするところは、他の部品を追加することなく簡単な構造で、スライドボタンの取付作業を容易にすると共に、良好なクリック感を与えるようにすることにある。
【課題を解決するための手段】
【０００９】
上記目的を達成するために、第１の発明では、電子機器のボタンのスライド構造を対象とし、
上記ボタンのスライド構造は、
スライド操作するためのツマミ部が表面から突出したボタン本体及び該ボタン本体の裏面側に上記電子機器の切換用スイッチレバーを挟む脚部を有するスライドボタンと、
上記スライドボタンがスライドするスライド用貫通孔を有し、上記電子機器を覆う電子機器本体と、
上記スライド用貫通孔に設けられ、上記スライドボタンがスライドされたときに弾性変形して該スライドボタンにクリック感を与える弾性手段とを備えている。
【００１０】
上記の構成によると、スライドボタンをスライド用貫通孔に挿入すると、弾性手段が弾性変形してスライドボタンを付勢するので、スライドボタンが組立時に脱落防止される。また、スライドボタンをスライドさせると、弾性手段によってクリックが得られる。このため、操作性が向上し、衝撃等によりスライドボタンが意図せず切り換わって誤動作を生じることはない。
【００１１】
第２の発明では、第１の発明において、
上記弾性手段は、上記スライド用貫通孔の近傍に貫通孔を設けることにより、弾性変形可能となった上記スライド用貫通孔の周縁部よりなる。
【００１２】
上記の構成によると、スライド用貫通孔の近傍に貫通孔を設けるだけで、スライド用貫通孔の周縁部が撓みやすくなるので、別部品を設けることなく、簡単な構造でスライド用貫通孔の周縁部が弾性変形可能となる。
【００１３】
第３の発明では、第２の発明において、
上記スライド用貫通孔の周縁部には、上記スライドボタンを押圧するためのボタン押圧用突起が形成されている。
【００１４】
上記の構成によると、周縁部にボタン押圧用突起を形成するだけで、スライドボタンを特定のスライド位置で押圧可能となり、簡単な構造でスライドボタンにクリック感が与えられる。
【００１５】
第４の発明では、第３の発明において、
上記ボタン押圧用突起は、上記スライドボタンがスライド移動する中間位置に設けられている。
【００１６】
上記の構成によると、スライドボタンのスライド途中にスライドボタンがボタン押圧用突起に当接して周縁部が弾性変形し、ボタン押圧用突起を通過すると、スライドボタンが押し戻されることにより、容易にクリック感が与えられる。
【００１７】
第５の発明では、第３又は４の発明において、
上記ボタン本体と、上記脚部との間には、該脚部よりも細くなった首部が形成され、
上記首部が、上記スライド用貫通孔内をスライド移動するように構成されている。
【００１８】
上記の構成によると、スライド用貫通孔内を脚部よりも細くなった首部がスライド移動するので、首部のないものに比べてスライド用貫通孔が小さくなる。このため、ボタンのスライド構造がコンパクトになる。
【００１９】
第６の発明では、第５の発明において、
上記ボタン押圧用突起は、上記首部に当接するように構成されている。
【００２０】
上記の構成によると、スライド用貫通孔内を脚部よりも細くなった首部がボタン押圧用突起に当接するので、脚部が当接する場合に比べて良好なクリックが得られる。
【００２１】
第７の発明では、第２乃至第６のいずれか１つに発明において、
上記弾性変形可能な周縁部は、他の周縁部よりも厚く形成されている。
【００２２】
上記の構成によると、周縁部に適度な弾性を与えると共に、幅が狭くなった周縁部の破損が防止される
第８の発明では、第２乃至第７のいずれか１つの発明において、
上記電子機器本体のスライド用貫通孔の周縁には、周囲よりも低い凹部が形成され、該凹部内を上記ボタン本体がスライド移動するように構成されている。
【００２３】
上記の構成によると、ボタン本体が安定して凹部内をスライド移動するので、更にスライドボタンの操作性がよくなる。
【００２４】
第９の発明では、第２乃至第８のいずれか１つの発明において、
上記弾性手段は、上記スライド用貫通孔の対向する周縁部にも設けられている。
【００２５】
上記の構成によると、更に良好なクリック感が得られる。
【００２６】
第１０の発明では、第１乃至第９のいずれか１つの発明において、
上記電子機器は、カメラを備え、
上記スライドボタンは、上記カメラのレンズの遠近切換を行う切換ボタンとする。
【００２７】
上記の構成によると、良好なクリック感により、レンズの遠近切換操作が誤動作なく快適に行える。
【００２８】
第１１の発明では、第１乃至第１０のいずれか１つの発明において、
上記電子機器本体は、樹脂成型品である。
【００２９】
上記の構成によると、周縁部に適度な弾性が与えられると共に、構造が簡単なので成形型も簡単な構造となる。
【００３０】
第１２の発明では、第１乃至第１１のいずれか１つの発明において、
電子機器は、携帯通信機器とする。
【００３１】
上記の構成によると、携帯性が重要視される携帯通信機器において、簡単でコンパクトな構造により、スライドボタンに良好なクリック感が与えられる。
【００３２】
第１３の発明では、第１２の発明において、
携帯通信機器は、携帯電話機とする。
【００３３】
上記の構成によると、コンパクトで操作性のよいスライドボタンを供えた品質のよい携帯電話機が得られる。
【発明の効果】
【００３４】
以上説明したように、本発明によれば、スライド用貫通孔に弾性手段を設け、この弾性手段をスライドボタンがスライドされたときに弾性変形させてスライドボタンにクリック感を与えるようにしたことにより、弾性手段のボタン取付の作業性を向上させることができると共に、スイッチ切換のクリック感を与えることができる。
【発明を実施するための最良の形態】
【００３５】
以下本発明の実施形態を図面に基づいて説明する。
【００３６】
図１は、本発明の実施形態にかかる携帯電話機の開いた状態を示す斜視図である。図２は、本発明の実施形態にかかる携帯電話機の開いた状態を示す斜視図で、第１の筺体を横長状態に回転したものである。
【００３７】
本実施形態の電子機器（携帯通信機器）としての携帯電話機１は、表面に液晶表示部６、受話部７等を有する第１の筺体２と、表面に送話部８、機能ボタン１０、入力ボタン１１等を有する第２の筺体３とを備えている。第１の筺体２は、カム機構４により縦長状態から横長状態に切換自在に支持されている。カム機構４と第２の筺体３とは、ヒンジ部５により折畳み開閉自在に支持されている。電話や電子メールをするときには、第１の筺体２が縦長状態とされ、テレビ視聴するときには、横長状態とされるように構成されている。
【００３８】
図３は、本発明の実施形態にかかる携帯電話機の閉じた状態を示し、第１の筺体２の裏側を上にした状態である。ヒンジ部５の中央には、スピーカ９が設けられ、第１の筺体２を開いたときも閉じたときもスピーカ９は表面に現れるようになっている。このことで、ハンズフリーの通信が可能になっている。また、第１の筺体２の裏面側には、サブ表示部１２が設けられている。サブ表示部１２は、通常は日付、時計表示等がなされ、不在着信時には、着信を知らせる表示に切り換わるようになっている。
【００３９】
図４は、図３の状態にある携帯電話機を上下反転したものを示す。第２の筺体３の裏面側には、カメラ１５と、電池を収納して蓋をする電池蓋１７とが設けられている。
【００４０】
携帯電話機１は、ボタンのスライド構造を備えている。カメラ１５の周辺は、装飾用カバー１６で覆われてその表面は、周囲と略連続している。装飾用カバー１６内には、スライドボタンとしてのカメラ切換ボタン１３とモバイルライト１４とが設けられている。カメラ１５は、通常撮影と接写撮影が可能に構成され、カメラ切換ボタン１３によってその切換が行われる。また、周囲が暗いときにはモバイルライト１４が点灯された状態でカメラ撮影が行われる。
【００４１】
図５乃至図７は、（ａ）に裏側キャビネットの上部を表面側から見た平面図を示す。上記装飾用カバー１６が取り除かれた状態で、簡略化のためにカメラ切換ボタン１３の首部２９を水平にカットしたものを示している。（ｂ）には、カメラ切換ボタン１３の全体が現れたそれぞれの端面図を示す。
【００４２】
図５乃至図７に示すように、携帯電話機１は、表裏分割可能なキャビネットに覆われ、その裏側の裏側キャビネット２０には、周囲よりも低くなったカバー用凹部１９が形成されている。カバー用凹部１９に装飾用カバー１６が両面テープ等により、貼り付けられるようになっている。裏側キャビネット２０には、モバイルライト用孔２５やカメラ用孔２６が設けられ、それぞれからモバイルライト１４やカメラ１５が覗くようになっている。裏側キャビネット２０は、樹脂成型品よりなる。
【００４３】
図８にカメラ切換ボタン１３の斜視図を示し、図９にカメラ切換ボタン１３の側面図を示す。図８及び図９に示すように、カメラ切換ボタン１３は、スライド操作するためのツマミ部２７が表面から突出したボタン本体２８及び該ボタン本体２８の裏面側に上記携帯電話機１の切換用スイッチレバー（図示せず）を挟む一対の脚部３０を有している。一対の脚部３０は、上端で連結され、この連結された連結部３１とボタン本体２８との間に連結部３１よりも細くなった首部２９が形成されている。
【００４４】
詳しくは図示しないが、上記切り換え用レバーは、回路基板上に設けられた電子部品から突出したもので、例えば、上端に位置すると通常撮影モードに、下端に位置すると接写撮影モードに切り換えられるようになっている。
【００４５】
図５乃至図７に示すように、スライド用貫通孔２１は、裏側キャビネット２０の長手方向に沿った略長方形を有し、上記首部２９がその長手方向にスライドするように構成されている。裏側キャビネット２０のスライド用貫通孔２１の周縁には、周囲よりも低いスライド用凹部１８が形成され、該スライド用凹部１８内を上記ボタン本体２８がスライド移動するように構成されている。
【００４６】
スライド用貫通孔２１には、上記カメラ切換ボタン１３がスライドされたときに弾性変形して該カメラ切換ボタン１３にクリック感を与える弾性手段としての可撓部２３が設けられている。
【００４７】
上記可撓部２３は、上記スライド用貫通孔２１の近傍に該スライド用貫通孔２１に沿って変形許容用貫通孔２２を設けることにより、撓みやすくなって弾性変形可能となった上記スライド用貫通孔２１の周縁部よりなる。すなわち、別部品を設けることなく、変形許容用貫通孔２２を設けるという簡単な構造で可撓部２３が弾性変形可能となっている。なお、スライド用貫通孔２１は完全な長方形ではなく、例えば、可撓部２３を撓みやすくするために、その表面から見て左側端部は上下に若干延長されている。
【００４８】
図１０及び図１１に裏側キャビネットのスライド用貫通孔及びその周辺を裏側から拡大してみた斜視図及び平面図を示す。
【００４９】
裏側キャビネット２０は、樹脂成型品であるため、可撓部２３を一体に成形できると共に、金型が簡単なものとなる。また、撓みやすい樹脂材料を用いることにより、可撓部２３に適度な弾性が与えられる。この弾性変形可能な周縁部よりなる可撓部２３は、他の周縁部よりも厚く形成されている。このことで、可撓部２３に適度な弾性を与えると共に、可撓部２３の破損が防止される。
【００５０】
図５にも示すように、上記スライド用貫通孔２１の表面側から見て左側にある可撓部２３には、上記カメラ切換ボタン１３を押圧するためのボタン押圧用突起２４が一体形成されている。このボタン押圧用突起２４は、カメラ切換ボタン１３がスライド移動する中間位置、すなわち、スライド用貫通孔２１の上下方向の中心に右側へ突出するように設けられている。首部２９の左右幅ｗ１は、スライド用貫通孔２１のボタン押圧用突起２４部分の左右幅ｗ２よりもわずかに大きくなっている（ｗ１＞ｗ２）。
【００５１】
−可撓部の作用−
次に、図５乃至図７を用いて可撓部２３の作用について説明する。
【００５２】
カメラ切換ボタン１３を組立時に挿入する際には、裏側キャビネット２０の表面側から脚部３０をスライド用貫通孔２１に挿入する。図６に示すように、首部２９がボタン押圧用突起２４を押圧し、変形許容用貫通孔２２を設けることで撓みやすくなった左側周縁部（可撓部２３）が変形許容用貫通孔２２側へ撓む。このため、カメラ切換ボタン１３を嵌め込みやすい。また、この弾性変形した可撓部２３が首部２９を付勢するので、カメラ切換ボタン１３が一時的に脱落防止される。また、図５及び図７に示すように、カメラ切換ボタン１３を上又は下に移動すれば、首部２９とスライド用貫通孔２１の上下周縁部との間にボタン押圧用突起２４が入り込むことにより脱落防止が完全になる。このため、カメラ切換ボタン１３の脱落を気にすることなく、携帯電話機１の組立作業が行われる。
【００５３】
使用時においては、図５及び図７に示すように、カメラ切換ボタン１３は、上下のいずれかに配置される。このとき、首部２９がボタン押圧用突起２４を可撓部２３の付勢力に抗して乗り越えない限り、カメラ切換ボタン１３は切り換わらないので、衝撃等によりカメラ切換ボタン１３が意図せず切り換わって誤動作を生じることはない。
【００５４】
一方、カメラ切換ボタン１３を切り換える際には、上又は下に移動させる。このとき、ボタン本体２８が安定してスライド用凹部１８内をスライド移動するので、カメラ切換ボタン１３の操作性がよい。カメラ切換ボタン１３がスライド用貫通孔２１の中間位置を超えるときには、可撓部２３が弾性変形してボタン押圧用突起２４が首部２９を押圧する。また、首部２９がボタン押圧用突起２４から外れて押し戻されることにより、明確なクリック感が得られる。このため、切換操作が快適に操作が行われる。また、可撓部２３にボタン押圧用突起２４を一体形成することで簡単な構造でカメラ切換ボタン１３にクリック感を与えることができる。
【００５５】
このカメラ切換ボタン１３の上下移動にあわせて一対の脚部３０が切換用スイッチレバーを上下させることにより、カメラ１５の撮影モードの切換が行われる。
【００５６】
−実施形態の効果−
したがって、本実施形態にかかるボタンのスライド構造によると、スライド用貫通孔２１に可撓部２３を設け、この可撓部２３をカメラ切換ボタン１３がスライドされたときに弾性変形させてカメラ切換ボタン１３にクリック感を与えるようにしたことにより、特別な部品を追加することなく、ボタン取付の作業性を向上させることができると共に、スイッチ切換のクリック感を与えることができる。
【００５７】
また、良好なクリック感により、カメラ１５のレンズの遠近切換操作が誤動作なく快適に行えるので、コンパクトで操作性のよいカメラ切換ボタン１３を供えた品質のよい携帯電話機が得られる。
【００５８】
（その他の実施形態）
本発明は、上記実施形態について、以下のような構成としてもよい。
【００５９】
すなわち、上記実施形態では、可撓部２３は、スライド用貫通孔２１の表面から見て左側周縁部にのみ設けたが、対向する周縁部にも設けてもよい。この場合には、右側にも変形許容用貫通孔２２を設けるとよい。このように両側に設けることで、更に良好なクリック感が得られる。
【００６０】
上記実施形態では、電子機器は、携帯電話機１としたが、ＰＨＳ、ＰＤＡなどの携帯通信機器であってもよい。この場合、携帯性が重要視される携帯通信機器において、簡単でコンパクトな構造により、カメラ切換ボタン１３に良好なクリック感が与えられる。また、ＰＣ、モバイルツール、電子辞書、電卓、複写機等であってもよい。すなわち、電子機器の切換用スイッチレバーを挟む脚部を有するスライドボタンを備え、スライドボタンがスライドすることで電子機器の機能が切り換わるものに適用できる。切換スイッチレバーは、カメラの撮影モード切換だけでなく、どのような切換を切り換えるものでもよい。
【００６１】
なお、以上の実施形態は、本質的に好ましい例示であって、本発明、その適用物や用途の範囲を制限することを意図するものではない。
【産業上の利用可能性】
【００６２】
以上説明したように、本発明は、携帯電話機に代表される携帯通信機器等の電子機器のボタンのスライド構造について有用である。
【図面の簡単な説明】
【００６３】
【図１】本発明の実施形態にかかる携帯電話機の開いた状態を示す斜視図である。
【図２】本発明の実施形態にかかる携帯電話機の開いた状態を示す斜視図で、第１の筺体を横長状態に回転したものである。
【図３】本発明の実施形態にかかる携帯電話機の閉じた状態を示す斜視図である。
【図４】図３の状態の携帯電話機を上下反転した斜視図である。
【図５】（ａ）が、カメラ切換ボタンがスライド用貫通孔の上端に位置したときの裏側キャビネットの上部を表面から見た平面図であり、（ｂ）がそのVb−Vb線端面図である。
【図６】（ａ）が、カメラ切換ボタンがスライド用貫通孔の中央に位置したときの裏側キャビネットの上部を表面から見た平面図であり、（ｂ）がそのVIb−VIb線端面図である。
【図７】（ａ）が、カメラ切換ボタンがスライド用貫通孔の下端に位置したときの裏側キャビネットの上部を表面から見た平面図であり、（ｂ）がそのVIIb−VIIb線端面図である。
【図８】カメラ切換ボタンの斜視図である。
【図９】カメラ切換ボタンの斜視図である。
【図１０】裏側キャビネットのスライド用貫通孔及びその周辺を裏側から見た拡大斜視図である。
【図１１】裏側キャビネットのスライド用貫通孔及びその周辺を裏側から見た拡大平面図である。
【符号の説明】
【００６４】
１      携帯電話機（携帯通信機器、電子機器）
１３      カメラ切換ボタン（スライドボタン）
１５      カメラ
１８      スライド用凹部
２０      裏側キャビネット（電子機器本体）
２１      スライド用貫通孔
２２      変形許容用貫通孔
２３      可撓部（弾性手段）
２４      ボタン押圧用突起
２７      ツマミ部
２８      ボタン本体
２９      首部
３０      脚部
【図１】
2008117687.tif 000003
【図２】
2008117687.tif 000004
【図３】
2008117687.tif 000005
【図４】
2008117687.tif 000006
【図５】
2008117687.tif 000007
【図６】
2008117687.tif 000008
【図７】
2008117687.tif 000009
【図８】
2008117687.tif 000010
【図９】
2008117687.tif 000011
【図１０】
2008117687.tif 000012
【図１１】
2008117687.tif 000013